(57)【要約】【課題】従来、通信講座にはＣＤ−ＲＯＭや紙ベース等の教材等を用い郵送等により教材の配送を行っていたので、配送料金及び、教材費用も多くかかっていた。また、受け取った教材が自分のスキルに合わない事もあり、内容が理解しにくい事もあった。就職に関するアフターケアも行っていなかったので通信講座で学んだ知識を役立てる事がむずかしいという問題もあった。【解決手段】本発明はインターネットを利用した通信講座の受講と受講後の就職案内に関する内容を持ち、アンケートにより最適な通信講座を自動的に選択する機能と、インターネットを介して教材がユーザの端末に送信され、該通信講座を受講時、理解度試験により段階的にスキルアップさせる機能と、講座受講終了後は関連する資格試験の受験を申し込み、試験に合格した際は、予め登録された企業からの求人案内が紹介される機能と、を有する。【選択図】　　　図１
2004078466.tif 000002
【特許請求の範囲】
【請求項１】
ユーザに通信講座を提供する通信講座業者の使用する第１のコンピュータと、通信講座を受講するユーザの使用する第２のコンピュータと、前記第１のコンピュータと前記第２のコンピュータとを通信で接続するネットワークと、を備えたマイプラン通信講座システムであって、
前記第１のコンピュータは、ユーザが受講を選択した講座についてのアンケートを前記第２のコンピュータに送信してアンケートの記入を依頼し、記入されたアンケートを元にユーザのスキルを判定し、判定した結果に基づきユーザに提供する講座の教育プランを決定し、教育プランに従った教材を前記第２のコンピュータに送信するとともに、定期的に授業料をユーザの口座から引き落とし、ユーザの学習の終了時には、前記第２のコンピュータに総合理解度テストを送信し、前記第２のコンピュータから受信した総合理解度テストの結果からユーザの合否を判定し、合格の場合に講座の受講の終了とし、
前記第２のコンピュータは、ユーザの金融機関の口座情報を含む個人情報を前記第１のコンピュータに登録し、前記第１のコンピュータから受信した教材と総合理解度テストをユーザに提供するマイプラン通信講座システム。
【請求項２】
ユーザに通信講座を提供する通信講座業者の使用する第１のコンピュータと、通信講座を受講するユーザの使用する第２のコンピュータと、ユーザに資格試験の受験申込書を提供する第３のコンピュータと、前記第１のコンピュータと前記第２のコンピュータと前記第３のコンピュータとを通信で接続するネットワークと、を備えたマイプラン通信講座システムであって、
前記第１のコンピュータは、ユーザが受講を選択した講座についてのアンケートを前記第２のコンピュータに送信してアンケートの記入を依頼し、記入されたアンケートを元にユーザのスキルを判定し、判定した結果に基づきユーザに提供する講座の教育プランを決定し、教育プランに従った教材を前記第２のコンピュータに送信するとともに、定期的に授業料をユーザの口座から引き落とし、ユーザの学習の終了時には、前記第２のコンピュータに総合理解度テストを送信し、前記第２のコンピュータから受信した総合理解度テストの結果からユーザの合否を判定し、合格の場合に講座の受講の終了とし、ユーザの個人情報とユーザの講座の受講経過を含む講座受講情報とを前記第３のコンピュータに送信し、
前記第２のコンピュータは、ユーザの金融機関の口座情報を含む個人情報を前記第１のコンピュータに登録し、前記第１のコンピュータから受信した教材と総合理解度テストをユーザに提供するとともに、前記第３のコンピュータから受信した資格試験の受験申込書からユーザの選択した受験申込書を前記第３のコンピュータに送信し、
前記第３のコンピュータは、前記第１のコンピュータから受信したユーザの講座受講情報から関連する資格試験の受験申込書を前記第２のコンピュータに送信し、前記第２のコンピュータから受信した受験申込書について関連機関にその申込を行い、ユーザの受験後の合否の通知を前記第２のコンピュータに行うマイプラン通信講座システム。
【請求項３】
ユーザに通信講座を提供する通信講座業者の使用する第１のコンピュータと、通信講座を受講するユーザの使用する第２のコンピュータと、ユーザに資格試験の受験申込書を提供する第３のコンピュータと、ユーザに求人情報を提供する第４のコンピュータと、前記第１のコンピュータと前記第２のコンピュータと前記第３のコンピュータと前記第４のコンピュータとを通信で接続するネットワークと、を備えたマイプラン通信講座システムであって、
前記第１のコンピュータは、ユーザが受講を選択した講座についてのアンケートを前記第２のコンピュータに送信してアンケートの記入を依頼し、記入されたアンケートを元にユーザのスキルを判定し、判定した結果に基づきユーザに提供する講座の教育プランを決定し、教育プランに従った教材を前記第２のコンピュータに送信するとともに、定期的に授業料をユーザの口座から引き落とし、ユーザの学習の終了時には、前記第２のコンピュータに総合理解度テストを送信し、前記第２のコンピュータから受信した総合理解度テストの結果からユーザの合否を判定し、合格の場合に講座の受講の終了とし、ユーザの個人情報とユーザの講座の受講経過を含む講座受講情報とを前記第２のコンピュータに送信し、
前記第２のコンピュータは、ユーザの金融機関の口座情報を含む個人情報を前記第１のコンピュータに登録し、前記第１のコンピュータから受信した教材と総合理解度テストをユーザに提供するとともに、前記第３のコンピュータから受信した資格試験の受験申込書からユーザの選択した受験申込書を前記第３のコンピュータに送信し、前記第４のコンピュータからの求人情報を受信し、
前記第３のコンピュータは、前記第１のコンピュータから受信したユーザの講座情報から関連する資格試験の受験申込書を前記第２のコンピュータに送信し、前記第２のコンピュータから受信した受験申込書について関連機関にその申込を行い、ユーザの受験後の合否の通知を前記第２のコンピュータに行うとともに、資格試験の合格者の個人情報と合格した資格試験情報とを前記第４のコンピュータに送信し、
前記第４のコンピュータは、前記第３のコンピュータから受信したユーザの資格試験情報から関連する求人情報を前記第３のコンピュータに送信するマイプラン通信講座システム。
【請求項４】
第１のコンピュータは、ユーザが受講を選択した講座についてのアンケートをユーザの使用する第２のコンピュータにネットワークによって送信してアンケートの記入を依頼し、記入されたアンケートを元に、ユーザに提供する講座の教育プランを決定する第１のステップと、
前記第２のコンピュータは、ユーザの金融機関の口座情報を含む個人情報を前記第１のコンピュータにネットワークによって登録する第２のステップと、
前記第１のコンピュータは、前記第２のコンピュータに教育プランに従った教材をネットワークによって送信するとともに、定期的に授業料をユーザの口座から引き落とす第３のステップと、
ユーザの学習の終了時、前記第１のコンピュータは、前記第２のコンピュータに総合理解度テストをネットワークによって送信し、前記第２のコンピュータから受信した総合理解度テストの結果からユーザの合否を判定し、合格の場合に講座の受講の終了とする第４のステップと、
を備えることを特徴とするマイプラン通信講座方法。
【請求項５】
前記第１のステップは、ユーザの記入したアンケートから講座についてのユーザのスキルを判定し、スキルに見合う教育プランの選択を行うステップを含むことを特徴とする請求項４記載のマイプラン通信講座方法。
【請求項６】
講座の受講を終了したユーザの個人情報とユーザの講座の受講経過を含む講座受講情報とを第１のコンピュータから第３のコンピュータにネットワークによって送信する第１のステップと、
前記第３のコンピュータは、前記第１のステップで送信された講座受講情報を受信すると、講座受講情報に関連する資格試験の受験申込書を個人情報の指定する第２のコンピュータにネットワークによって送信する第２のステップと、
前記第２のコンピュータは、前記第２のステップで送信された受験申込書からユーザによって選択された受験申込書をネットワークによって前記第３のコンピュータに送信する第３のステップと、
前記第３のコンピュータは、前記第３のステップでユーザが選択した受験申込書を受信すると、ユーザに代行して資格試験の開催機関に該受験申込書をネットワークで送信する第４のステップと、
前記第３のコンピュータは、ユーザの資格試験の合否を前記第２のコンピュータにネットワークによって送信し、ユーザの個人情報の指定する金融機関の口座から料金の引き落としを指示する第５のステップと、
を備えることを特徴とするマイプラン通信講座方法。
【請求項７】
前記第１のステップは、個人情報と講座受講情報の前記第３のコンピュータへの送信の可否について、前記第１のコンピュータは前記第２のコンピュータにネットワークによって問合せし、承諾の応答を得ると前記第３のコンピュータへ送信するステップを含むことを特徴とする請求項６記載のマイプラン通信講座方法。
【請求項８】
前記第２のステップは、個人情報と講座受講情報の提供の見かえりとして、前記第３のコンピュータによる提供者の口座への料金の振り込みを行うステップを含むことを特徴とする請求項６記載のマイプラン通信講座方法。
【請求項９】
第１のコンピュータは、ユーザが受講を選択した講座についてのアンケートをユーザの使用する第２のコンピュータにネットワークによって送信してアンケートの記入を依頼し、記入されたアンケートを元に、ユーザに提供する講座の教育プランを決定する第１のステップと、
前記第２のコンピュータは、ユーザの金融機関の口座情報を含む個人情報を前記第１のコンピュータにネットワークによって登録する第２のステップと、
前記第１のコンピュータは、前記第２のコンピュータに教育プランに従った教材をネットワークによって送信し、定期的に授業料をユーザの口座から引き落とす第３のステップと、
ユーザの学習の終了時、前記第１のコンピュータは、前記第２のコンピュータに総合理解度テストをネットワークによって送信し、前記第２のコンピュータから受信した総合理解度テストの結果からユーザの合否を判定し、合格の場合に講座の受講の終了とする第４のステップと、
前記第１のコンピュータは、講座の受講を終了したユーザの個人情報とユーザの講座の受講経過を含む講座受講情報とを第３のコンピュータにネットワークによって送信する第５のステップと、
前記第３のコンピュータは、前記第１のステップで送信された講座受講情報を受信すると、講座受講情報に関連する資格試験の受験申込書を個人情報の指定する第２のコンピュータにネットワークによって送信する第６のステップと、
前記第２のコンピュータは、前記第２のステップで送信された受験申込書からユーザによって選択された受験申込書をネットワークによって前記第３のコンピュータに送信する第７のステップと、
前記第３のコンピュータは、前記第３のステップでユーザによって選択された受験申込書を受信すると、ユーザに代行して資格試験の開催機関に該受験申込書をネットワークで送信する第８のステップと、
前記第３のコンピュータは、ユーザの資格試験の合否を前記第２のコンピュータに送信し、ユーザの個人情報の指定する金融機関の口座からの料金の引き落としを指示する第９のステップと、
を備えることを特徴とするマイプラン通信講座方法。
【請求項１０】
第１のコンピュータは、講座の受講を終了したユーザの個人情報とユーザの講座の受講経過を含む講座受講情報とを前記第１のコンピュータから第３のコンピュータにネットワークによって送信する第１のステップと、前記第３のコンピュータは、前記第１のステップで送信された講座受講情報に関連する資格試験の受験申込書を個人情報の指定する第２のコンピュータにネットワークによって送信する第２のステップと、
前記第２のコンピュータは、前記第２のステップで送信された受験申込書からユーザによって選択された受験申込書をネットワークによって前記第３のコンピュータに送信する第３のステップと、
前記第３のコンピュータは、前記第３のステップでユーザによって選択された受験申込書を受信すると、ユーザに代行して資格試験の開催機関に該受験申込書をネットワークで送信する第４のステップと、
前記第３のコンピュータは、ユーザの資格試験の合否を前記第２のコンピュータに送信し、ユーザの個人情報の指定する金融機関の口座からの料金の引き落としを指示する第５のステップと、
前記第３のコンピュータは、第４のコンピュータに資格試験に合格したユーザの個人情報と資格試験情報とを送信する第６のステップと、
前記第４のコンピュータは、前記第６のステップで受信した資格試験情報を元に求人情報を求め、個人情報の指定する前記第２のコンピュータにネットワークで送信する第７のステップと、
を備えることを特徴とするマイプラン通信講座方法。
【請求項１１】
前記第６のステップは、個人情報と資格試験情報の前記第４のコンピュータへの送信の可否について、前記第３のコンピュータは前記第２のコンピュータに問合せし、承諾の応答を得ると前記第４のコンピュータへ送信するステップを含むことを特徴とする請求項１０記載のマイプラン通信講座方法。
【請求項１２】
前記第７のステップは、個人情報と資格試験情報の提供の見かえりとして、前記第４のコンピュータによる提供者の口座への料金の振り込みを行うステップを含むことを特徴とする請求項１０記載のマイプラン通信講座方法。
【請求項１３】
第１のコンピュータは、ユーザが受講を選択した講座についてのアンケートをユーザの使用する第２のコンピュータにネットワークによって送信してアンケートの記入を依頼し、記入されたアンケートを元に、ユーザに提供する講座の教育プランを決定する第１のステップと、
前記第２のコンピュータは、ユーザの金融機関の口座情報を含む個人情報を前記第１のコンピュータにネットワークによって登録する第２のステップと、
前記第１のコンピュータは、前記第２のコンピュータに教育プランに従った教材をネットワークによって送信するとともに、定期的に授業料をユーザの口座から引き落とす第３のステップと、
ユーザの学習の終了時、前記第１のコンピュータは、前記第２のコンピュータに総合理解度テストをネットワークによって送信し、前記第２のコンピュータから受信した総合理解度テストの結果からユーザの合否を判定し、合格の場合に講座の受講の終了とする第４のステップと、
前記第１のコンピュータは、講座の受講を終了したユーザの個人情報とユーザの講座の受講経過を含む講座受講情報とを第１のコンピュータから第３のコンピュータにネットワークによって送信する第５のステップと、
前記第３のコンピュータは、前記第１のステップで送信された講座受講情報に関連する資格試験の受験申込書を個人情報の指定する第２のコンピュータにネットワークによって送信する第６のステップと、
前記第２のコンピュータは、前記第２のステップで送信された受験申込書からユーザによって選択された受験申込書をネットワークによって前記第３のコンピュータに送信する第７のステップと、
前記第３のコンピュータは、前記第３のステップでユーザによって選択された受験申込書を受信すると、ユーザに代行して資格試験の開催機関に該受験申込書をネットワークで送信する第８のステップと、
前記第３のコンピュータは、ユーザの資格試験の合否を前記第２のコンピュータに送信し、ユーザの個人情報の指定する金融機関の口座からの料金の引き落としを指示する第９のステップと、
前記第３のコンピュータは、第４のコンピュータに資格試験に合格したユーザの個人情報と資格試験情報を送信する第１０のステップと、
前記第４のコンピュータは、前記第６のステップで受信した資格試験情報を元に求人情報を求め、個人情報の指定する前記第２のコンピュータにネットワークで送信する第１１のステップと、
を備えることを特徴とするマイプラン通信講座方法。
【請求項１４】
コンピュータに、
第１のコンピュータは、ユーザが受講を選択した講座についてのアンケートをユーザの使用する第２のコンピュータにネットワークによって送信してアンケートの記入を依頼し、記入されたアンケートを元に、ユーザに提供する講座の教育プランを決定する第１のステップと、
前記第２のコンピュータは、ユーザの金融機関の口座情報を含む個人情報を前記第１のコンピュータにネットワークによって登録する第２のステップと、
前記第１のコンピュータは、前記第２のコンピュータに教育プランに従った教材をネットワークによって送信するとともに、定期的に授業料をユーザの口座から引き落とす第３のステップと、
ユーザの学習の終了時、前記第１のコンピュータは、前記第２のコンピュータに総合理解度テストをネットワークによって送信し、前記第２のコンピュータから受信した総合理解度テストの結果からユーザの合否を判定し、合格の場合に講座の受講の終了とする第４のステップと、
前記第１のコンピュータは、講座の受講を終了したユーザの個人情報とユーザの講座の受講経過を含む講座受講情報とを第１のコンピュータから第３のコンピュータにネットワークによって送信する第５のステップと、
前記第３のコンピュータは、前記第１のステップで送信された講座受講情報に関連する資格試験の受験申込書を個人情報の指定する第２のコンピュータにネットワークによって送信する第６のステップと、
前記第２のコンピュータは、前記第２のステップで送信された受験申込書からユーザによって選択された受験申込書をネットワークによって前記第３のコンピュータに送信する第７のステップと、
前記第３のコンピュータは、前記第３のステップでユーザによって選択された受験申込書を受信すると、ユーザに代行して資格試験の開催機関に該受験申込書をネットワークで送信する第８のステップと、
前記第３のコンピュータは、ユーザの資格試験の合否を前記第２のコンピュータに送信し、ユーザの個人情報の指定する金融機関の口座からの料金の引き落としを指示する第９のステップと、
前記第３のコンピュータは、第４のコンピュータに資格試験に合格したユーザの個人情報と合格した資格試験情報を送信する第１０のステップと、
前記第４のコンピュータは、前記第６のステップで受信した資格試験情報を元に求人情報を求め、個人情報の指定する前記第２のコンピュータにネットワークで送信する第１１のステップと、
を実行させるためのプログラム。
【発明の詳細な説明】
【０００１】
【発明の属する技術分野】
本発明は、インターネットを利用してユーザの端末に教材の提供を行い、端末を利用して教材を受講したユーザに逐次テストを実施することによってユーザが資格を取得する支援を行い、特に講座の受講終了後は関連する国家や民間の資格試験の申し込みをユーザに代行して行い、前記試験に合格した際は、予め登録された企業からの求人案内をユーザに紹介する複数の業者によるユーザの資格の取得のサポートと就職の斡旋を行うマイプラン通信講座システム、マイプラン通信講座方法及びそのプログラムに関する。
【０００２】
【従来の技術】
従来、通信講座業者による通信講座では、ＣＤ−ＲＯＭ等の媒体や紙ベースの教材を用い、郵便や宅配輸送により受講者であるユーザに届ける形態での教育が主流であった。また、教材内容を通信講座業者からユーザのパソコンへインターネットによって送信する通信講座の形態も一部では利用されていた。
【０００３】
【発明が解決しようとする課題】
通信教育の教材を郵送するような場合においては、通信講座業者とユーザ間での教材、テスト結果、その採点結果の輸送料金の発生、輸送に伴う時間の損失、教材メディア自体の費用も嵩むという問題があった。この場合、受講する教材内容が自分のスキルに合わず、内容が理解しにくい場合においても、途中で中断することはできにくく、受講料金の支払いは最後まで行わざるを得ないことが多かった。
【０００４】
また、教材内容を通信講座業者からユーザのパソコンへインターネットによって送信する通信講座の形態においても、ユーザが受講した内容に関係する資格を取った場合、その資格を有する人材を要望する企業への就職の斡旋等のアフターケアが行われていなかったので、通信講座で学んだ知識を実社会に役立てる事が難しいという問題もあった。
【０００５】
本発明は、インターネットを利用した通信講座において、通信講座を受講するユーザが通信講座業者のアンケートに応えることにより、最適な通信講座を自動選択出来る機能と、インターネットを介して教材が配信され通信講座を受講後、理解度試験により段階的にスキルアップする機能と、すべての講座終了後は関連する国家や民間の資格試験の受験をユーザに代行して申し込み、前記試験に合格した際は予め登録された企業からの求人案内が紹介される機能と、を有するマイプラン通信講座システム通信講座方法及びそのプログラムを提供するものである。
【０００６】
【課題を解決するための手段】
本発明の第１のマイプラン通信講座システムは、ユーザに通信講座を提供する通信講座業者の使用する第１のコンピュータと、通信講座を受講するユーザの使用する第２のコンピュータと、前記第１のコンピュータと前記第２のコンピュータとを通信で接続するネットワークと、を備えたマイプラン通信講座システムであって、
前記第１のコンピュータは、ユーザが受講を選択した講座についてのアンケートを前記第２のコンピュータに送信してアンケートの記入を依頼し、記入されたアンケートを元にユーザのスキルを判定し、判定した結果に基づきユーザに提供する講座の教育プランを決定し、教育プランに従った教材を前記第２のコンピュータに送信するとともに、定期的に授業料をユーザの口座から引き落とし、ユーザの学習の終了時には、前記第２のコンピュータに総合理解度テストを送信し、前記第２のコンピュータから受信した総合理解度テストの結果からユーザの合否を判定し、合格の場合に講座の受講の終了とし、
前記第２のコンピュータは、ユーザの金融機関の口座情報を含む個人情報を前記第１のコンピュータに登録し、前記第１のコンピュータから受信した教材と総合理解度テストをユーザに提供することを備える。
【０００７】
本発明の第２のマイプラン通信講座システムは、ユーザに通信講座を提供する通信講座業者の使用する第１のコンピュータと、通信講座を受講するユーザの使用する第２のコンピュータと、ユーザに資格試験の受験申込書を提供する第３のコンピュータと、前記第１のコンピュータと前記第２のコンピュータと前記第３のコンピュータとを通信で接続するネットワークと、を備えたマイプラン通信講座システムであって、
前記第１のコンピュータは、ユーザが受講を選択した講座についてのアンケートを前記第２のコンピュータに送信してアンケートの記入を依頼し、記入されたアンケートを元にユーザのスキルを判定し、判定した結果に基づきユーザに提供する講座の教育プランを決定し、教育プランに従った教材を前記第２のコンピュータに送信するとともに、定期的に授業料をユーザの口座から引き落とし、ユーザの学習の終了時には、前記第２のコンピュータに総合理解度テストを送信し、前記第２のコンピュータから受信した総合理解度テストの結果からユーザの合否を判定し、合格の場合に講座の受講の終了とし、ユーザの個人情報とユーザの講座の受講経過を含む講座受講情報とを前記第３のコンピュータに送信し、
前記第２のコンピュータは、ユーザの金融機関の口座情報を含む個人情報を前記第１のコンピュータに登録し、前記第１のコンピュータから受信した教材と総合理解度テストをユーザに提供するとともに、前記第３のコンピュータから受信した資格試験の受験申込書からユーザの選択した受験申込書を前記第３のコンピュータに送信し、
前記第３のコンピュータは、前記第１のコンピュータから受信したユーザの講座受講情報から関連する資格試験の受験申込書を前記第２のコンピュータに送信し、前記第２のコンピュータから受信した受験申込書について関連機関にその申込を行い、ユーザの受験後の合否の通知を前記第２のコンピュータに行うことを備える。
【０００８】
本発明の第３のマイプラン通信講座システムは、ユーザに通信講座を提供する通信講座業者の使用する第１のコンピュータと、通信講座を受講するユーザの使用する第２のコンピュータと、ユーザに資格試験の受験申込書を提供する第３のコンピュータと、ユーザに求人情報を提供する第４のコンピュータと、前記第１のコンピュータと前記第３のコンピュータと前記第２のコンピュータと前記第４のコンピュータとを通信で接続するネットワークと、を備えたマイプラン通信講座システムであって、
前記第１のコンピュータは、ユーザが受講を選択した講座についてのアンケートを前記第２のコンピュータに送信してアンケートの記入を依頼し、記入されたアンケートを元にユーザのスキルを判定し、判定した結果に基づきユーザに提供する講座の教育プランを決定し、教育プランに従った教材を前記第２のコンピュータに送信するとともに、定期的に授業料をユーザの口座から引き落とし、ユーザの学習の終了時には、前記第２のコンピュータに総合理解度テストを送信し、前記第２のコンピュータから受信した総合理解度テストの結果からユーザの合否を判定し、合格の場合に講座の受講の終了とし、ユーザの個人情報とユーザの講座の受講経過を含む講座受講情報とを前記第２のコンピュータに送信し、
前記第２のコンピュータは、ユーザの金融機関の口座情報を含む個人情報を前記第１のコンピュータに登録し、前記第１のコンピュータから受信した教材と総合理解度テストをユーザに提供するとともに、前記第３のコンピュータから受信した資格試験の受験申込書からユーザの選択した受験申込書を前記第３のコンピュータに送信し、前記第４のコンピュータからの求人情報を受信し、
前記第３のコンピュータは、前記第１のコンピュータから受信したユーザの講座情報から関連する資格試験の受験申込書を前記第２のコンピュータに送信し、前記第２のコンピュータから受信した受験申込書について関連機関にその申込を行い、ユーザの受験後の合否の通知を前記第２のコンピュータに行うとともに、資格試験の合格者の個人情報と合格した資格試験情報とを前記第４のコンピュータに送信し、
前記第４のコンピュータは、前記第３のコンピュータから受信したユーザの資格試験情報から関連する求人情報を前記第３のコンピュータに送信することを備える。
【０００９】
本発明の第１のマイプラン通信講座方法は、第１のコンピュータは、ユーザが受講を選択した講座についてのアンケートをユーザの使用する第２のコンピュータにネットワークによって送信してアンケートの記入を依頼し、記入されたアンケートを元に、ユーザに提供する講座の教育プランを決定する第１のステップと、
前記第２のコンピュータは、ユーザの金融機関の口座情報を含む個人情報を前記第１のコンピュータにネットワークによって登録する第２のステップと、
前記第１のコンピュータは、前記第２のコンピュータに教育プランに従った教材をネットワークによって送信するとともに、定期的に授業料をユーザの口座から引き落とす第３のステップと、
ユーザの学習の終了時、前記第１のコンピュータは、前記第２のコンピュータに総合理解度テストをネットワークによって送信し、前記第２のコンピュータから受信した総合理解度テストの結果からユーザの合否を判定し、合格の場合に講座の受講の終了とする第４のステップと、
を備える。
【００１０】
本発明の第２のマイプラン通信講座方法は、第１の発明において、前記第１のステップは、ユーザの記入したアンケートから講座についてのユーザのスキルを判定し、スキルに見合う教育プランの選択を行うステップを含むことを備える。
【００１１】
本発明の第３のマイプラン通信講座方法は、講座の受講を終了したユーザの個人情報とユーザの講座の受講経過を含む講座受講情報とを第１のコンピュータから第３のコンピュータにネットワークによって送信する第１のステップと、
前記第３のコンピュータは、前記第１のステップで送信された講座受講情報を受信すると、講座受講情報に関連する資格試験の受験申込書を個人情報の指定する第２のコンピュータにネットワークによって送信する第２のステップと、
前記第２のコンピュータは、前記第２のステップで送信された受験申込書からユーザによって選択された受験申込書をネットワークによって前記第３のコンピュータに送信する第３のステップと、
前記第３のコンピュータは、前記第３のステップでユーザが選択した受験申込書を受信すると、ユーザに代行して資格試験の開催機関に該受験申込書をネットワークで送信する第４のステップと、
前記第３のコンピュータは、ユーザの資格試験の合否を前記第２のコンピュータにネットワークによって送信し、ユーザの個人情報の指定する金融機関の口座から料金の引き落としを指示する第５のステップと、
を備える。
【００１２】
本発明の第４のマイプラン通信講座方法は、第２の発明において、前記第１のステップは、個人情報と講座受講情報の前記第３のコンピュータへの送信の可否について、前記第１のコンピュータは前記第２のコンピュータにネットワークによって問合せし、承諾の応答を得ると前記第３のコンピュータへ送信するステップを含む。
【００１３】
本発明の第５のマイプラン通信講座方法は、第２の発明において、前記第２のステップは、個人情報と講座受講情報の提供の見かえりとして、前記第３のコンピュータによる提供者の口座への料金の振り込みを行うステップを含む。
【００１４】
本発明の第６のマイプラン通信講座方法は、第１のコンピュータは、ユーザが受講を選択した講座についてのアンケートをユーザの使用する第２のコンピュータにネットワークによって送信してアンケートの記入を依頼し、記入されたアンケートを元に、ユーザに提供する講座の教育プランを決定する第１のステップと、
前記第２のコンピュータは、ユーザの金融機関の口座情報を含む個人情報を前記第１のコンピュータにネットワークによって登録する第２のステップと、
前記第１のコンピュータは、前記第２のコンピュータに教育プランに従った教材をネットワークによって送信し、定期的に授業料をユーザの口座から引き落とす第３のステップと、
ユーザの学習の終了時、前記第１のコンピュータは、前記第２のコンピュータに総合理解度テストをネットワークによって送信し、前記第２のコンピュータから受信した総合理解度テストの結果からユーザの合否を判定し、合格の場合に講座の受講の終了とする第４のステップと、
前記第１のコンピュータは、講座の受講を終了したユーザの個人情報とユーザの講座の受講経過を含む講座受講情報とを第３のコンピュータにネットワークによって送信する第５のステップと、
前記第３のコンピュータは、前記第１のステップで送信された講座受講情報を受信すると、講座受講情報に関連する資格試験の受験申込書を個人情報の指定する第２のコンピュータにネットワークによって送信する第６のステップと、
前記第２のコンピュータは、前記第２のステップで送信された受験申込書からユーザによって選択された受験申込書をネットワークによって前記第３のコンピュータに送信する第７のステップと、
前記第３のコンピュータは、前記第３のステップでユーザによって選択された受験申込書を受信すると、ユーザに代行して資格試験の開催機関に該受験申込書をネットワークで送信する第８のステップと、
前記第３のコンピュータは、ユーザの資格試験の合否を前記第２のコンピュータに送信し、ユーザの個人情報の指定する金融機関の口座からの料金の引き落としを指示する第９のステップと、
を備える。
【００１５】
本発明の第７のマイプラン通信講座方法は、第１のコンピュータは、講座の受講を終了したユーザの個人情報とユーザの講座の受講経過を含む講座受講情報とを前記第１のコンピュータから第３のコンピュータにネットワークによって送信する第１のステップと、
前記第３のコンピュータは、前記第１のステップで送信された講座受講情報に関連する資格試験の受験申込書を個人情報の指定する第２のコンピュータにネットワークによって送信する第２のステップと、
前記第２のコンピュータは、前記第２のステップで送信された受験申込書からユーザによって選択された受験申込書をネットワークによって前記第３のコンピュータに送信する第３のステップと、
前記第３のコンピュータは、前記第３のステップでユーザによって選択された受験申込書を受信すると、ユーザに代行して資格試験の開催機関に該受験申込書をネットワークで送信する第４のステップと、
前記第３のコンピュータは、ユーザの資格試験の合否を前記第２のコンピュータに送信し、ユーザの個人情報の指定する金融機関の口座からの料金の引き落としを指示する第５のステップと、
前記第３のコンピュータは、第４のコンピュータに資格試験に合格したユーザの個人情報と資格試験情報とを送信する第６のステップと、
前記第４のコンピュータは、前記第６のステップで受信した資格試験情報を元に求人情報を求め、個人情報の指定する前記第２のコンピュータにネットワークで送信する第７のステップと、
を備える。
【００１６】
本発明の第８のマイプラン通信講座方法は、第７の発明において、前記第６のステップは、個人情報と資格試験情報の前記第４のコンピュータへの送信の可否について、前記第３のコンピュータは前記第２のコンピュータに問合せし、承諾の応答を得ると前記第４のコンピュータへ送信するステップを含む。
【００１７】
本発明の第９のマイプラン通信講座方法は、第７の発明において、前記第７のステップは、個人情報と資格試験情報の提供の見かえりとして、前記第４のコンピュータによる提供者の口座への料金の振り込みを行うステップを含む。
【００１８】
本発明の第１０のマイプラン通信講座方法は、第１のコンピュータは、ユーザが受講を選択した講座についてのアンケートをユーザの使用する第２のコンピュータにネットワークによって送信してアンケートの記入を依頼し、記入されたアンケートを元に、ユーザに提供する講座の教育プランを決定する第１のステップと、
前記第２のコンピュータは、ユーザの金融機関の口座情報を含む個人情報を前記第１のコンピュータにネットワークによって登録する第２のステップと、
前記第１のコンピュータは、前記第２のコンピュータに教育プランに従った教材をネットワークによって送信するとともに、定期的に授業料をユーザの口座から引き落とす第３のステップと、
ユーザの学習の終了時、前記第１のコンピュータは、前記第２のコンピュータに総合理解度テストをネットワークによって送信し、前記第２のコンピュータから受信した総合理解度テストの結果からユーザの合否を判定し、合格の場合に講座の受講の終了とする第４のステップと、
前記第１のコンピュータは、講座の受講を終了したユーザの個人情報とユーザの講座の受講経過を含む講座受講情報とを第１のコンピュータから第３のコンピュータにネットワークによって送信する第５のステップと、
前記第３のコンピュータは、前記第１のステップで送信された講座受講情報に関連する資格試験の受験申込書を個人情報の指定する第２のコンピュータにネットワークによって送信する第６のステップと、
前記第２のコンピュータは、前記第２のステップで送信された受験申込書からユーザによって選択された受験申込書をネットワークによって前記第３のコンピュータに送信する第７のステップと、
前記第３のコンピュータは、前記第３のステップでユーザによって選択された受験申込書を受信すると、ユーザに代行して資格試験の開催機関に該受験申込書をネットワークで送信する第８のステップと、
前記第３のコンピュータは、ユーザの資格試験の合否を前記第２のコンピュータに送信し、ユーザの個人情報の指定する金融機関の口座からの料金の引き落としを指示する第９のステップと、
前記第３のコンピュータは、第４のコンピュータに資格試験に合格したユーザの個人情報と資格試験情報を送信する第１０のステップと、
前記第４のコンピュータは、前記第６のステップで受信した資格試験情報を元に求人情報を求め、個人情報の指定する前記第２のコンピュータにネットワークで送信する第１１のステップと、
を備える。
【００１９】
本発明の第１のプログラムは、コンピュータに、
第１のコンピュータは、ユーザが受講を選択した講座についてのアンケートをユーザの使用する第２のコンピュータにネットワークによって送信してアンケートの記入を依頼し、記入されたアンケートを元に、ユーザに提供する講座の教育プランを決定する第１のステップと、
前記第２のコンピュータは、ユーザの金融機関の口座情報を含む個人情報を前記第１のコンピュータにネットワークによって登録する第２のステップと、
前記第１のコンピュータは、前記第２のコンピュータに教育プランに従った教材をネットワークによって送信するとともに、定期的に授業料をユーザの口座から引き落とす第３のステップと、
ユーザの学習の終了時、前記第１のコンピュータは、前記第２のコンピュータに総合理解度テストをネットワークによって送信し、前記第２のコンピュータから受信した総合理解度テストの結果からユーザの合否を判定し、合格の場合に講座の受講の終了とする第４のステップと、
前記第１のコンピュータは、講座の受講を終了したユーザの個人情報とユーザの講座の受講経過を含む講座受講情報とを第１のコンピュータから第３のコンピュータにネットワークによって送信する第５のステップと、
前記第３のコンピュータは、前記第１のステップで送信された講座受講情報に関連する資格試験の受験申込書を個人情報の指定する第２のコンピュータにネットワークによって送信する第６のステップと、
前記第２のコンピュータは、前記第２のステップで送信された受験申込書からユーザによって選択された受験申込書をネットワークによって前記第３のコンピュータに送信する第７のステップと、
前記第３のコンピュータは、前記第３のステップでユーザによって選択された受験申込書を受信すると、ユーザに代行して資格試験の開催機関に該受験申込書をネットワークで送信する第８のステップと、
前記第３のコンピュータは、ユーザの資格試験の合否を前記第２のコンピュータに送信し、ユーザの個人情報の指定する金融機関の口座からの料金の引き落としを指示する第９のステップと、
前記第３のコンピュータは、第４のコンピュータに資格試験に合格したユーザの個人情報と合格した資格試験情報を送信する第１０のステップと、
前記第４のコンピュータは、前記第６のステップで受信した資格試験情報を元に求人情報を求め、個人情報の指定する前記第２のコンピュータにネットワークで送信する第１１のステップと、
を実行させる。
【００２０】
【発明の実施の形態】
本発明の実施の形態の構成は、図１に示すように、ユーザの使用する利用者端末１０と，通信講座業者２０の有する処理装置２０１と，受験受付業者３０の有する受験受付業者サーバ３０１と、企業案内システム４０の有する処理装置４０１と、から構成されており、各々インターネット１００を含むネットワークを介して接続されている。
【００２１】
利用者端末１０は、通信講座の受講を希望するユーザが使用するパーソナルコンピュータなどの情報処理装置（コンピュータ）であり、インターネット１００を介して通信講座業者２０の処理装置２０１にアクセスし、該処理装置２０１から送付されるアンケートに答える目的に使用される。
【００２２】
更に、利用者端末１０は、通信講座業者２０からインターネット１００を介して送付された教材を元に通信教育を受講し、該教育受講後に処理装置２０１から送付される理解度試験を受験して通信講座業者２０へ送付する機能と、全ての通信講座の理解度試験の受験が合格した時点で、受験受付業者３０からインターネット１００を介して送付される資格試験の受験申し込みを受信する機能と、該資格試験に合格した際は、企業案内システム４０の企業案内サーバ４０１からインターネット１００を介して送付される企業の求人案内を受信する機能と、を有する。
【００２３】
通信講座業者２０は、図１に示すように処理装置２０１と，処理装置２０１に接続された磁気ディスク装置等のカリキュラムＤＢ２０２と、処理装置２０１に接続された磁気ディスク装置等の個人情報ＤＢ２０３と、を有している。
【００２４】
処理装置２０１は、サーバ等の情報処理装置（コンピュータ）であり、インターネット１００を介して利用者端末１０からの通信講座の申し込みを受け付けてカリキュラムＤＢ２０２を検索した上でインターネット１００を介してユーザのスキル調査を目的として利用者端末１０へアンケートを送付する機能を有する。
【００２５】
また、処理装置２０１は、通信講座を受講するユーザの登録とユーザの通信講座の受講状況や理解度試験の結果等を図５の形式で個人情報ＤＢ２０３に記録する機能と読み出し機能を有する。
【００２６】
さらに、処理装置２０１は、図６に例示する形式で通信講座の各種カリキュラムが格納されたカリキュラムＤＢ２０２に記録する機能と読み出し機能を有する。
【００２７】
受験受付業者３０の受験受付業者サーバ３０１は、通信講座を受講して全て理解度試験に合格したユーザに対して、ユーザの受講した通信講座に関係する国家や民間の資格試験案内情報を利用者端末１０に送付して、ユーザに受験を勧誘する目的の情報処理装置（コンピュータ）である。このため、受験受付業者サーバ３０１は、資格と関連する資格試験に関する受験の申し込み等の情報を対応付けした資格試験ＤＢ３０２を接続している。
【００２８】
受験受付業者サーバ３０１は、通信講座業者２０の処理装置２０１からインターネット１００を介して全ての理解度試験に合格したユーザの個人情報が送付されると、該ユーザの利用者端末１０へインターネット１００を介して自動的に資格試験の受験申し込み情報を送付する機能と、ユーザが前記資格試験に合格した際はインターネット１００を介して企業案内システム４０へ前記合格者の情報を送付する機能と、を有する。
【００２９】
企業案内システム４０は、通信講座を受講して資格試験に合格したユーザに企業の求人案内をサービスする目的のシステムであり、処理装置４０１及び処理装置４０１に接続され、磁気ディスク装置等の企業情報ＤＢ４０２より構成されている。
【００３０】
処理装置４０１は、パーソナルコンピュータなどの情報処理装置（コンピュータ）であり、受験受付業者３０からの資格試験に合格したユーザの情報を受信し、資格試験の内容を元に企業情報ＤＢ４０２を検索して該ユーザの利用者端末１０へインターネット１００を介して企業の求人情報を紹介する機能を有する。企業情報ＤＢ４０２は各種企業の求人情報が図９に例示する形式で格納されたデータベースである。
【００３１】
次に本発明の実施の形態の動作を、図１と、図２と図３のフローチャートと、図４乃至図９とを用いて詳細に説明する。
【００３２】
まず、ユーザは、利用者端末１０から、通信講座業者２０の処理装置２０１に開設されているインターネット上のホームページをアクセスして、通信講座業者２０の提供する通信講座の一覧情報を利用者端末１０に表示し、受講したい通信講座の選択をし、その申し込みを行う（ステップＳ１）。通信講座業者２０の処理装置２０１は、利用者端末１０からの申し込みを受け付け、ユーザが受講希望する講座の内容についてユーザがどの程度のスキルを持っているのかの情報を採取するため、図４に例示するアンケートをカリキュラムＤＢ２０２より取り出し、利用者端末１０に送信する（ステップＳ２）。アンケートは講座ごとにそれぞれ用意されている。
【００３３】
図４に例示するアンケートによれば、ユーザに問い合わせる内容として、ユーザが受講しようとする講座について保有すると思う知識の程度、受講を希望する期間、受講する講座についての経験度、受講の目的等が質問される。
【００３４】
利用者端末１０は、送信されてきたアンケートに回答し、通信講座業者２０の処理装置２０１へアンケートの回答を返信する（ステップＳ３）。通信講座業者２０の処理装置２０１は、アンケートの結果を分析し、カリキュラムＤＢ２０２より適した教育のプランとそのプランに基づく料金を決定する（ステップＳ４）。
【００３５】
カリキュラムＤＢ２０２には、図６に例示するように、各質問についてユーザが回答する回答パターンを複数種類用意し、それらを組み合わせた分だけ索引情報として予め登録されている。索引情報に関係する本体部には、プラン名や受講料金等が含まれている。処理装置２０１は、ユーザからのアンケートの各質問の回答を組み合わせて索引情報を作り、カリキュラムデータベースをこの索引情報で検索する。このようにして決定したプランと料金情報を利用者端末１０へ送信する（ステップＳ５）。
【００３６】
利用者端末１０は、通信講座業者２０から送信されてきたプランで承諾すれば、通信講座業者２０の処理装置２０１から送信された契約手続きを行う（ステップＳ６）。
【００３７】
通信講座業者２０の処理装置２０１は、契約手続き完了後、ログイン名、パスワードを発行し、利用者端末１０へ送信する（ステップＳ７）。この時、ユーザは、利用者端末１０から契約時のユーザの個人情報を処理装置２０１に送信するので、処理措置２０１はこれを個人情報ＤＢ２０３に格納する（ステップＳ８）。この個人情報は、図５に例示するような情報からなっていて、例えばユーザの氏名、住所、性別、生年月日等や電子メールアドレス、ユーザの顔写真情報の登録も含むことが可能である。また、講座の受講料金の通信講座業者２０への支払いのため、ユーザの有する金融機関の口座情報も含まれていてよい。また、受講する講座のプラン名情報や、受講中の進捗状況、さらにユーザの取得を目的とする資格名や就職先の職種等の情報を有している。
【００３８】
以上の処理を終えると、ユーザは利用者端末１０から、発行されたログイン名、パスワードで通信講座業者２０の処理装置２０１にログインを行う（ステップＳ９）。
【００３９】
通信講座業者２０の処理装置２０１は、カリキュラムＤＢ２０２のプランに基づき、利用者端末１０に対してＷｅｂ上で教材を提供するので、ユーザはその利用者端末１０に表示された教材に基づき学習を行う（ステップＳ１０）。処理装置２０１は、図７に例示するような内容によって章ごとの理解度テストを行い（ステップＳ１１）、その合否の判定をする（ステップＳ１２）。図７の理解度テストの一例によれば、最初に左側の問題が利用者端末１０に提示され、ユーザが回答すると、それが処理装置２０１に送信される。処理装置２０１はその採点を行ってその結果を右側の正解及び解説欄として利用者端末１０に送信する。
【００４０】
不合格の場合は、（ステップＳ１１）に戻って章ごとの理解度テストを再度行う。理解度テストに合格した場合、その受験日時、受験回数、合格点数等の結果を個人情報ＤＢ２０３へその１つの章の終了の都度格納する（ステップＳ１３）。
【００４１】
処理装置２０１は、ユーザが全ての章の受講と理解度テストに合格したかを判定し（ステップＳ１４）、全ての章の合格を確認すると、受講した講座全体の総合理解度テストを利用者端末１０に送信するので、ユーザは総合理解度テストを受験する（ステップＳ１５）。
【００４２】
処理装置２０１は、総合理解度テストの合否の判定を行い（ステップＳ１６）、不合格であれば、利用者端末１０に再度、総合理解度テストを送信する。合格すると、総合理解度テストの結果を個人情報ＤＢ２０３に講座受講情報として記録し（ステップＳ１７）、通信講座は終了となる（ステップＳ１８）。尚、処理装置２０１は、月ごとまたは、半年ごと等に、図示しない金融機関のコンピュータに、ユーザの金融機関の口座から授業料を引き落とし、通信講座業者２０の口座に振込みを行うよう指示する。
【００４３】
講座終了後、通信講座業者２０の処理装置２０１は、利用者端末１０に問合せを行い、ユーザの個人情報と講座受講情報を受験受付業者３０に送信し、受験受付業者３０からユーザに資格試験の受験の案内の通知を行うようにしてもよいかを問い合わせる。この問合せに対し、ユーザからの承諾が得られた場合は、処理装置２０１は、受験受付業者３０の受験受付業者サーバ３０１に対して、理解度テストに合格した該ユーザの受講した講座受講情報と個人情報を個人情報ＤＢ２０３から送信する（ステップＳ１９）。
【００４４】
受験受付業者３０の受験受付業者サーバ３０１は、この情報の提供された見返りとして通信講座業者２０から予め通知された通信講座業者２０の金融機関の口座に自動的に料金を支払うようにしてもよい。この料金の支払いを受けた通信講座業者２０は、この一部をユーザの受講料金を割り引く等によってユーザに還元してもよい。
【００４５】
受験受付業者サーバ３０１は、該ユーザの講座受講情報と個人情報を受信後、ユーザの受講した講座受講情報に基づき関連する国家資格試験情報や民間の資格試験情報を資格試験ＤＢ３０２から検索し、利用者端末１０に対してその資格試験の受験申込書を電子メール等で送信する（ステップＳ２０）。尚、受験受付業者サーバ３０１には既に同じユーザについて過去に受講を完了した他の講座受講情報が登録されている場合もあり、既に登録済みの情報に、ここで通知された情報が追加される。
【００４６】
受験受付業者サーバ３０１は、該当する資格試験について複数の情報があれば、全ての情報を利用者端末１０に送信してユーザに案内する。図８の＜受験申込者情報＞欄の記入例のように受験申込書には、受験受付業者サーバ３０１によってユーザの個人情報をもとに予め記入が行われた内容となっている。
【００４７】
ユーザは、案内された受験の申し込みの内容をチェックし、必要なものを選択し選択した申し込みを受験受付業者サーバ３０１に電子メールで返信する。受験受付業者サーバ３０１は、ユーザに代行して資格試験を開催する関連機関の図示しないコンピュータにインターネット１００によって受験の申し込みを行う。申し込みに際しユーザの顔写真が必要な場合は、個人情報からそれを取り出して添付する。
【００４８】
さらに、受験料が必要な場合は、ユーザの個人情報中の金融機関の口座情報を元に自動的に受験料金の振り込みを資格試験開催期間の口座に実行する。その後、受験受付業者サーバ３０１は、受験の申し込みが完了し資格試験の開催機関から受験票等を得ると、これをユーザに郵送等によって送付する。以上のような支援を受け、ユーザは受験を行う（ステップＳ２１）。ユーザが受験した資格試験の合否が判明すると、受験受付業者サーバ３０１は、利用者端末１０にその結果を通知する。受験受付業者３０は、ユーザの合否に関わり無く、受験の申し込み等に伴う手数料をユーザの口座から自分の口座に受け取るようにしてもよい。
【００４９】
さらに、受験受付業者サーバ３０１は、当該ユーザの合否の結果を通信講座業者２０の処理装置２０１にも通知するようにしてもよい。これによって通信講座業者２０では、どの資格試験を取るにはどの程度の総合理解度テストの合格点の設定において、合否のユーザの総合理解度テストでの点数と比較し、妥当な値の決定をすることができる。
【００５０】
ユーザが、以上のように申し込みの行われた前記試験に合格した際には、受験受付業者サーバ３０１は、企業案内システム４０の処理装置４０１に対して当該ユーザの個人情報と合格者情報を送信する（ステップＳ２３）。この時も、受験受付業者サーバ３０１は、利用者端末１０に問合せを行い、ユーザの個人情報や資格試験の合格情報を企業案内システム４０に通知してもよいかを確認する。受験受付業者サーバ３０１は、この問合せでユーザからの承諾が得られた場合に、個人情報と合格者情報の送信を行う。尚、受験受付業者３０は、この情報の提供の見返りとして企業案内システム４０から料金を受け取るようにしてもよい。その時、処理装置４０１は、予め通知された受験受付業者３０の金融機関の口座に料金の自動振り込みを行う。また、受験受付業者３０は、この受け取った料金の一部をユーザに還元するようにしても良い。
【００５１】
企業案内システム４０の処理装置４０１は、合格したユーザの利用者端末１０に対し、取得資格試験内容を元に企業情報ＤＢ４０２を検索し（ステップＳ２４）、該ユーザの利用者端末１０へ求人情報を送信する（ステップＳ２５）。企業情報ＤＢ４０２の内容は、図９に例示するようになっていて、求人を行う企業の会社情報と、求人に対しての申し込みを行う連絡先情報と、採用するユーザに必要な資格等を含む募集要項情報とから構成されている。
【００５２】
【発明の効果】
本発明の第１の効果は、受講前に受講者であるユーザのアンケートを取る事により、ユーザのスキルにあった講座プランを作成でき、ユーザにとって受講内容を理解しやすいということである。
【００５３】
第２の効果は、資格試験の受験まで自動的に進むので、ユーザの手続きに時間がかからないということである。
【００５４】
第３の効果は、ユーザは企業案内システムより、求人情報を受信する事ができるので就職活動の手間が削減され、就職がしやすくなるということである。
【図面の簡単な説明】
【図１】本発明の実施の形態の全体の構成を説明するブロック図である。
【図２】本発明の実施の形態の全体の動作を説明するフローチャートである。
【図３】本発明の実施の形態の全体の動作を説明するフローチャートである。
【図４】本発明のアンケートの説明図である。
【図５】本発明の個人情報データベースの説明図である。
【図６】本発明のカリキュラムデータベースの説明図である。
【図７】本発明の理解度テストの説明図である。
【図８】本発明の受験申込書の説明図である。
【図９】本発明の企業情報データベースの説明図である。
【符号の説明】
１０　　利用者端末
２０　　通信講座業者
２０１　　処理装置
２０２　　カリキュラムＤＢ
２０３　　個人情報ＤＢ
３０　　受験受付業者
３０１　　受験受付業者サーバ
３０２　　資格試験ＤＢ
４０　　企業案内システム
４０１　　処理装置
４０２　　企業情報ＤＢ
１００　　インターネット
【図１】
2004078466.tif 000003
【図２】
2004078466.tif 000004
【図３】
2004078466.tif 000005
【図４】
2004078466.tif 000006
【図５】
2004078466.tif 000007
【図６】
2004078466.tif 000008
【図７】
2004078466.tif 000009
【図８】
2004078466.tif 000010
【図９】
2004078466.tif 000011